(57)【要約】【課題】  無線網の予約スロットにおける状態決定方法及びシステムを提供する。【解決手段】  複数のノードよりなる無線網において前記ノードが自ノードの状態を決定する方法であって、使用可能な電力および／または待機中のパケットを考慮して、複数のレベルを有する電力感度レベルのうちの１つを、前記ノードの電力感度レベルとして決定する段階と、少なくとも一つの相手ノードから受信した電力感度レベルと、前記決定した電力感度レベルとを考慮して、休止状態を保持するか、または有効状態を保持するかを決定する段階とを含むことを特徴とする状態決定方法。【選択図】      図４
2005318628.tif 000002
【特許請求の範囲】
【請求項１】
複数のノードよりなる無線網において、前記ノードが自ノードの状態を決定する方法であって、
使用可能な電力および／または待機中のパケットを考慮して、複数のレベルを有する電力感度レベルのうちの１つを、前記ノードの電力感度レベルとして決定する段階と、
少なくとも一つの相手ノードから受信した電力感度レベルと、前記決定した電力感度レベルとを考慮して、休止状態を保持するか、または有効状態を保持するかを決定する段階と、
を含むことを特徴とする状態決定方法。
【請求項２】
前記自ノードの状態と前記相手ノードの状態とを一致させることを特徴とする請求項１に記載の前記状態決定方法。
【請求項３】
前記電力感度レベルは２ビットよりなり、ビーコンに乗せて前記相手ノードに送ることを特徴とする請求項１に記載の前記状態決定方法。
【請求項４】
前記ノードは、前記受信した電力感度レベルと前記決定した電力感度レベルとのうち、低い方の電力感度を有する電力感度レベルを考慮して、前記自ノードの状態を決定することを特徴とする請求項１に記載の前記状態決定方法。
【請求項５】
前記ノードがデータを送受信するため使用するタイムスロットの状態には、
前記自ノードまたは前記相手ノードが予約したタイムスロットと、
前記自ノードまたは相手ノードを除くノードが予約したソフト予約スロットと、
前記自ノードまたは相手ノードを除くノードが予約したハード予約スロットと、
未予約タイムスロットと、
があることを特徴とする請求項４に記載の前記状態決定方法。
【請求項６】
前記ノードは、前記自ノードが予約したタイムスロットでは、前記決定した電力感度レベルを考慮せずに、有効状態を保持することを特徴とする請求項５に記載の前記状態決定方法。
【請求項７】
前記ノードは、前記タイムスロットの状態を考慮して有効状態を保持するか、休止状態を保持するかを決定することを特徴とする請求項５に記載の前記状態決定方法。
【請求項８】
前記電力感度レベルは、電力感度レベル１ないし電力感度レベル４よりなり、
前記低い方の電力感度が前記電力感度レベル１である場合、ブロードキャストデータまたは非同期データが発生すれば、前記未予約タイムスロットで有効状態を保持することを特徴とする請求項５に記載の前記状態決定方法。
【請求項９】
前記電力感度レベルは、電力感度レベル１ないし電力感度レベル４よりなり、
前記低い方の電力感度が前記電力感度レベル２である場合、前記未予約タイムスロットで有効状態を保持することを特徴とする請求項５に記載の前記状態決定方法。
【請求項１０】
前記電力感度レベルは、電力感度レベル１ないし電力感度レベル４よりなり、
前記低い方の電力感度が前記電力感度レベル３である場合、前記自ノードまたは相手ノードを除くノードが予約したハード予約スロットを除くタイムスロットで有効状態を保持することを特徴とする請求項５に記載の前記状態決定方法。
【請求項１１】
前記電力感度レベルは、電力感度レベル１ないし電力感度レベル４よりなり、前記低い方の電力感度が前記電力感度レベル４である場合、全てのタイムスロットで有効状態を保持することを特徴とする請求項５に記載の前記状態決定方法。
【請求項１２】
複数のノードよりなる無線網において、前記ノードが自ノードの状態を決定するシステムにおいて、
使用可能な電力および／または待機中のパケットを考慮して、複数のレベルを有する電力感度レベルのうちの１つを、前記ノードの電力感度レベルとして決定し、少なくとも一つの相手ノードから受信した電力感度レベルと前記決定した電力感度レベルとを考慮して、休止状態を保持するか、または有効状態を保持するかを決定するノードと、
前記ノードの状態と同じ状態を有する前記相手ノードと、
を含むことを特徴とする前記システム。
【発明の詳細な説明】
【技術分野】
【０００１】
この発明は複数のノードよりなる無線網に係り、より詳細には、前記無線網を構成しているノードが予約したタイムスロットにおける電力消費を極力抑えるための方法及びシステムに関する。
【背景技術】
【０００２】
通常、無線網は、複数のノードよりなる。この無線網を構成しているノードは、他のノードとの間でデータの送受信を行う。このノードは、データを送受信するための一定の規則を有している。すなわち、少なくとも２つのノードが同じ時点でデータを転送する場合、これらのデータは互いに衝突を起こす。その結果、データを受信しようとするノードは、エラーが生じたデータを受信することになる。このために、前記無線網を構成しているノードは、互いに重ならないようにデータを転送する必要がある。
【０００３】
以下、図１に基づき、前記無線網の構造について説明する。図１は、ノードＡないしノードＥよりなる無線網を示している。これらのノードＡないしノードＥは、ビーコン区間において一定の領域内に位置しているノードにビーコンを転送する。図１を参照すれば、ノードＡはノードＢないしノードＥにビーコンを転送し、ノードＢはノードＡとノードＣにビーコンを転送する。このノードＣはノードＡとノードＢにビーコンを転送し、ノードＤはノードＡとノードＥにビーコンを転送する。このノードＥは前記ノードＡとノードＤにビーコンを転送する。このノードＣは予約したタイムスロットにおいて前記ノードＢにデータを転送し、ノードＥもまた予約したタイムスロットにおいて前記ノードＤにデータを転送する。
【０００４】
図２は、前記無線網を構成しているノードにおいて使われるスーパーフレームの構造を示している。図２に示すように、前記スーパーフレームは、ビーコン及びデータのための２５６個のタイムスロットよりなる。無線網を構成しているこれらのノードは、互いに同期を取るための同期情報を必要とする。このため、前記ノードは、前記ビーコンの一部の領域に同期情報を乗せて前記隣り合うノードに転送する。さらに、前記データを転送しようとするノードは、２５６個のタイムスロットのうち予約したタイムスロットを用いてデータを転送する。
【０００５】
例えば、前記ノードＣはタイムスロット２においてデータを転送し、ノードＢはタイムスロット２においてデータを受信する。また、前記ノードＥはタイムスロット３においてデータを転送し、ノードＤはタイムスロット３においてデータを受信する。一般に、送信ノードは、隣り合うノードにより予約されていないタイムスロットを探索し、前記探索されたタイムスロットの予約が可能であるかどうかを受信ノードに問い合わせする。前記受信ノードは、前記送信ノードからの問い合わせがあったタイムスロットが予約可能であれば、前記タイムスロットの予約を受諾するという旨を送る。前記受信ノードは、問い合わせのあったタイムスロットが予約可能な状態ではなければ、前記タイムスロットの予約をキャンセルするという旨を送る。前記送信ノードと受信ノードがタイムスロットの予約に成功したならば、前記送信ノードと受信ノードは予約されたタイムスロットにおいてデータを送受信する。
【０００６】
図３は、データを転送するノードＣとデータを受信するノードＢの有効（アクティブ）期間と休止（非アクティブ）期間を示している。図３はまた、ビーコン転送区間と複数のタイムスロットよりなるスーパーフレームを示す。このノードＣは、ノードＢにデータを転送するためにタイムスロット０、タイムスロット１を予約したとする。
【０００７】
前記ノードＣは、ノードＢにデータを転送するために予約した前記タイムスロット０、タイムスロット１において有効状態を保持する。前記ノードＢもまた、ノードＣからデータを受信するために予約した前記タイムスロット０、タイムスロット１において有効状態を保持する。しかしながら、前記ノードＣは、タイムスロット０、タイムスロット１において必要なデータを転送し切れない場合がある。つまり、ノードＣとノードＢとの間の無線チャンネルの状況が悪化したり、その他の不具合により前記ノードＣは必要なデータを転送し切れない場合がある。このため、ノードＣは、他のノードが予約したタイムスロットの使用可否をチェックするためにタイムスロット２ないしタイムスロット３において有効状態を保持する場合がある。前記タイムスロット２ないしタイムスロット３を予約したノードが前記タイムスロット２ないしタイムスロット３を使用していないならば、前記ノードＣは前記タイムスロット２ないしタイムスロット３においてデータを転送する。しかしながら、前記ノードＢは、自ノードに予約されたタイムスロット０とタイムスロット１だけで有効状態を保持し、前記タイムスロット２ないしタイムスロット３では休止状態に戻る。このようにして前記ノードＢは電力の無駄使いを防ぐことができる。
【０００８】
しかしながら、ノードＣの電力が設定値以下であれば、前記ノードＣが前記ノードＢの状態とは無関係にタイムスロット２ないしタイムスロット３において有効状態を保持することは電力の無駄使いに繋がるために好ましくない。また、前記受信ノードが休止状態である場合、前記送信ノードがデータを転送するために有効状態を保持するならば、前記送信ノードは電力を無駄使いする結果を招く。さらに、前記タイムスロット２ないしタイムスロット３の使用を希望する他のノードがある場合、無線リソースの無駄使いを招く結果となる。
【発明の開示】
【発明が解決しようとする課題】
【０００９】
上記問題点を解決するために、本発明の目的は、受信ノードがエラーを起こすことなくマルチキャストデータを受信できるタイムスロットを、送信ノードが予約できる方法を提案するところにある。
【００１０】
本発明の他の目的は、送信ノードが自ノードが予約したタイムスロット以外のタイムスロットを用いてデータを転送することにより、データの転送効率を高められる方法を提案することである。
【課題を解決するための手段】
【００１１】
本発明に係る複数のノードよりなる無線網において、前記ノードが自ノードの状態を決定する状態決定方法は、使用可能な電力および／または待機中のパケットを考慮して、複数のレベルを有する電力感度レベルのうちの１つを、前記ノードの電力感度レベルとして決定する段階と、少なくとも一つの相手ノードから受信した電力感度レベルと、前記決定した電力感度レベルとを考慮して、休止状態を保持するか、または有効状態を保持するかを決定する段階とを備えて構成される。
【００１２】
前記自ノードの状態と前記相手ノードの状態とを一致させることが好ましい。
【００１３】
前記電力感度レベルは２ビットよりなり、ビーコンに乗せて前記相手ノードに送ることが好ましい。
【００１４】
前記ノードは、前記受信した電力感度レベルと前記決定した電力感度レベルとのうち、低い方の電力感度を有する電力感度レベルを考慮して、前記自ノードの状態を決定することが好ましい。
【００１５】
前記ノードがデータを送受信するため使用するタイムスロットの状態には、前記自ノードまたは前記相手ノードが予約したタイムスロットと、前記自ノードまたは相手ノードを除くノードが予約したソフト予約スロットと、前記自ノードまたは相手ノードを除くノードが予約したハード予約スロットと、未予約タイムスロットとがあることが好ましい。
【００１６】
前記ノードは、前記自ノードが予約したタイムスロットでは、前記決定した電力感度レベルを考慮せずに、有効状態を保持することが好ましい。
【００１７】
前記ノードは、前記タイムスロットの状態を考慮して有効状態を保持するか、休止状態を保持するかを決定することが好ましい。
【００１８】
前記電力感度レベルは、電力感度レベル１ないし電力感度レベル４よりなり、前記低い方の電力感度が前記電力感度レベル１である場合、ブロードキャストデータまたは非同期データが発生すれば、前記未予約タイムスロットで有効状態を保持することが好ましい。
【００１９】
前記電力感度レベルは、電力感度レベル１ないし電力感度レベル４よりなり、前記低い方の電力感度が前記電力感度レベル２である場合、前記未予約タイムスロットで有効状態を保持することが好ましい。
【００２０】
前記電力感度レベルは、電力感度レベル１ないし電力感度レベル４よりなり、前記低い方の電力感度が前記電力感度レベル３である場合、前記自ノードまたは相手ノードを除くノードが予約したハード予約スロットを除くタイムスロットで有効状態を保持することが好ましい。
【００２１】
前記電力感度レベルは、電力感度レベル１ないし電力感度レベル４よりなり、前記低い方の電力感度が前記電力感度レベル４である場合、全てのタイムスロットで有効状態を保持することが好ましい。
【００２２】
本発明に係る複数のノードよりなる無線網において、前記ノードが自ノードの状態を決定するシステムは、使用可能な電力および／または待機中のパケットを考慮して、複数のレベルを有する電力感度レベルのうちの１つを、前記ノードの電力感度レベルとして決定し、少なくとも一つの相手ノードから受信した電力感度レベルと前記決定した電力感度レベルとを考慮して、休止状態を保持するか、または有効状態を保持するかを決定するノードと、前記自ノードの状態と同じ状態を有する前記相手ノードとを備えて構成される。
【発明の効果】
【００２３】
上述したように、本発明は、送信ノードの状態と受信ノードの状態を一致させることにより、電力の無駄使いを防止することができる。つまり、送信ノードが有効状態である場合、受信ノードもまた有効状態を保持する。また、自ノードと相手の電力感度レベルを考慮して状態を決めることにより、電力の使用が効率的になる。
【発明を実施するための最良の形態】
【００２４】
以下、添付した図面に基づき、本発明の技術的な思想について詳細に説明する。
【００２５】
本発明は、電力感度レベル（ｐｏｗｅｒ ｓｅｎｓｉｔｉｖｉｔｙ ｌｅｖｅｌ）を提案する。この電力感度レベルは、ノードに残存する電力、待機中のパケットなどを考慮して決定する。前記ノードは、電力感度レベルを用いて有効状態を保持するか、休止状態を保持するかを決める。特に、本発明は、電力感度レベルの数を４に設定する。しかしながら、これに限定するものではなく、前記レベルの数はユーザの設定による。すなわち、レベルの数をできるだけ多く設定することによって、電力感度をより精密なものにすることができる。これらの各ノードは、自ノードの電力感度レベルを測定する。前記電力感度レベルの数を４に設定することにより、前記電力感度レベルは２ビットで表わされる。前記電力感度レベルの数が４を超える場合、前記電力感度レベルを表わすビット数も増える。下記表１は、前記電力感度レベルを示す。
【００２６】
【表１】
2005318628.tif 000003
【００２７】
以下、ノードが隣り合うノードを考慮せずに有効状態を保持するか、それとも休止状態を保持するかを決める例について説明する。
【００２８】
前記電力感度レベル１を有するノードは、自ノードが予約したタイムスロットにおいて有効状態を保持する。つまり、自ノードが予約したタイムスロットにおいてデータを送受信する場合にのみ有効状態を保持する。また、前記ノードは、ブロードキャストデータまたは非同期データを送受信する必要がある場合、ＥＤＣＡ（Ｅｎｈａｎｃｅｄ Ｄｉｓｔｒｉｂｕｔｅｄ Ｃｈａｎｎｅｌ Ａｃｃｅｓｓ）スロットまたは未予約タイムスロットにおいて、有効状態を保持する。各ノードは、ＥＤＣＡスロットと未予約スロットにおいて同じ動作を行う。前記ＥＤＣＡスロットは、競合に基づくチャンネルアクセススロットである。すなわち、前記ＥＤＣＡスロットは予約を要求したノードへ転送するデータの種類に応じてプライオリティを決めるスロットである。例えば、ブロードキャストデータまたは非同期データに対して高いプライオリティを与え、ユニキャストデータに対しては低いプライオリティを与える。
【００２９】
前記電力感度レベル２を有するノードは、自ノードが予約したタイムスロットにおいて有効状態を保持する。また、前記電力感度レベル２を有するノードは、ＥＤＣＡスロットにおいて有効状態を保持する。
【００３０】
前記電力感度レベル３を有するノードは、自ノードが予約したタイムスロットにおいて有効状態を保持する。また、前記電力感度レベル３を有するノードは、ＥＤＣＡスロットと他のノードのソフト予約スロットにおいて有効状態を保持する。予約スロットは、ソフト予約スロットとハード予約スロットに大別される。前記ソフト予約スロットとは、ノードが予約したスロットが未使用状態であれば、メッセージを送ることなく他のノードが使用できるスロットを意味する。前記ハード予約スロットとは、ノードが予約したスロットが未使用状態であれば、メッセージを送ることにより他のノードが使用できるスロットを意味する。
【００３１】
前記電力感度レベル４を有するノードは、自ノードが予約したタイムスロットにおいて有効状態を保持する。前記電力感度レベル４を有するノードは、ＥＤＣＡスロットと、他のノードのソフト予約スロットおよびハード予約スロットにおいて有効状態を保持する。
【００３２】
前記ノードは、自ノードの電力感度レベルに関する情報を含むビーコンをビーコン転送区間において隣り合うノードに転送する。このため、無線網を構成している各ノードは、自ノードの電力感度レベルだけではなく、隣り合うノードの電力感度レベルをチェックすることができる。以下、前記相手ノードの電力感度レベルを考慮して有効状態を保持するか、休止状態を保持するかを決める過程について説明する。前記ノードがデータを転送するノードである場合、前記相手ノードはデータを受信するノードであり、前記ノードがデータを受信するノードである場合、前記相手ノードはデータを転送するノードである。前記ノードは、電力感度レベルとは無関係に自ノードが予約したタイムスロットにおいて有効状態を保持する。
【００３３】
前記電力感度レベル１を有するノードは、ブロードキャストデータや非同期データの送受信が必要な場合、ＥＤＣＡスロットにおいて有効状態を保持する。前記電力感度レベル１を有するノードは、上述した場合以外は休止状態を保持する。
【００３４】
電力感度レベル２を有するノードは、相手ノードの電力感度レベルに応じて有効状態または休止状態を保持する。つまり、前記ノードは、ＥＤＣＡスロットにおいて、電力感度レベル１を有する相手ノードがあるとともにブロードキャストデータや非同期データが生じない場合は、休止状態を保持し、それ以外の場合は、有効状態を保持する。また、前記電力感度レベル２を有するノードは、相手ノードの電力感度レベルとは無関係に他のノードのソフト予約スロットとハード予約スロットにおいて休止状態を保持する。
【００３５】
電力感度レベル３を有するノードは、ＥＤＣＡスロットにおいて相手ノードの電力感度レベルに応じて有効状態または休止状態を保持する。つまり、前記ノードは、ＥＤＣＡスロットにおいて、電力感度レベル１を有する相手ノードがあるとともにブロードキャストデータや非同期データが生じない場合は、休止状態を保持し、それ以外の場合は、有効状態を保持する。さらに、前記電力感度レベル３を有するノードは、他のノードのソフト予約スロットにおいて、電力感度レベル１または電力感度レベル２を有する相手ノードがある場合は、休止状態を保持し、それ以外の場合は、有効状態を保持する。前記電力感度レベル３を有するノードは、相手ノードの電力感度レベルとは無関係に他のノードのハード予約スロットにおいて休止状態を保持する。
【００３６】
電力感度レベル４を有するノードは、ＥＤＣＡスロットにおいて相手ノードの電力感度レベルに応じて有効状態または休止状態を保持する。つまり、前記ノードは、ＥＤＣＡスロットにおいて、電力感度レベル１を有する相手ノードがあるとともにブロードキャストデータや非同期データが生じない場合は、休止状態を保持し、それ以外の場合は、有効状態を保持する。また、前記電力感度レベル４を有するノードは、他のノードのソフト予約スロットにおいて、電力感度レベル１または電力感度レベル２を有する相手ノードがある場合は、休止状態を保持し、それ以外の場合は、有効状態を保持する。前記電力感度レベル４を有するノードは、他のノードのハード予約スロットにおいて、電力感度レベル１、電力感度レベル２、または電力感度レベル３を有する相手ノードがある場合は、休止状態を保持し、それ以外の場合は、有効状態を保持する。
【００３７】
以下、図４と図５に基づき、無線網を構成しているノードにおいて、省電力のために休止状態と有効状態とを切り換える例について説明する。
【００３８】
図４は、ノードＡないしノードＥよりなる無線網を示している。前記ノードＡは電力感度レベル１を有し、ノードＢ、ノードＣは電力感度レベル２を有する。そして、ノードＤ、ノードＥは電力感度レベル３を有する。前記ノードＡはノードＢにデータを転送するためにタイムスロット０を予約し、ノードＢはノードＣにデータを転送するためにタイムスロット２を予約し、そして、ノードＥはノードＤにデータを転送するためにタイムスロット３を予約したとする。また、ノードＣはデータを転送するためのタイムスロットは予約しなかったが、ノードＥに転送する非同期データが生じたとする。下記表２は、タイムスロット０ないしタイムスロット３において休止状態であるか、有効状態であるかを各ノード別に示している。
【００３９】
【表２】
2005318628.tif 000004
【００４０】
以下、前記表２について説明する。前記ノードＡとノードＢは予約したタイムスロット０において有効状態を保持する。しかしながら、前記ノードＡが電力感度レベル１を有するため、他のノードのハード予約スロット（タイムスロット２）とソフト予約スロット（タイムスロット３）において、前記ノードＡとノードＢは休止状態を保持する。また、前記ノードＡとノードＢはＥＤＣＡスロットであるタイムスロット１においてブロードキャストデータまたは非同期データが生じなかったため、休止状態を保持する。
【００４１】
前記ノードＢとノードＣは、予約したタイムスロット２において有効状態を保持する。前記ノードＢとノードＣは電力感度レベル２を有するため、タイムスロット１において有効状態を保持する。前記ノードＢとノードＣは他のノードのソフト予約スロット（タイムスロット０、タイムスロット３）において休止状態を保持する。
【００４２】
前記ノードＤとノードＥは、予約したタイムスロット３において有効状態を保持する。前記ノードＤとノードＥは電力感度レベル３を有するため、タイムスロット０とタイムスロット１において有効状態を保持する。前記ノードＤとノードＥは他のノードのハード予約スロット（タイムスロット２）において休止状態を保持する。
【００４３】
前記ノードＣは電力感度レベル２を有し、ノードＥは電力感度レベル３を有するため、電力感度レベルが低いノードＣを用いて前記ノードＣとノードＥの状態を決める。このため、前記ノードＣとノードＥはタイムスロット１において有効状態を保持し、タイムスロット０、タイムスロット２、タイムスロット３においては休止状態を保持する。
【００４４】
あるノードが特定のタイムスロットにおいて休止状態と有効状態を両方とも保持できる場合、前記ノードは有効状態を保持することが好ましい。
【００４５】
図５は、ノードＡないしノードＨよりなる無線網を示している。前記ノードＡは電力感度レベル１を有し、ノードＢ、ノードＣは電力感度レベル２を有する。ノードＤ、ノードＥ、ノードＧは電力感度レベル３を有し、ノードＦ、ノードＨは電力感度レベル４を有する。前記ノードＡはノードＢにデータを転送するためにタイムスロット０を予約し、ノードＥはノードＦにデータを転送するためにタイムスロット１を予約し、そして、ノードＧはノードＨにデータを転送するためにタイムスロット２を予約したとする。また、ノードＣはデータを転送するためのタイムスロットは予約しなかったが、ノードＤに転送する非同期データが生じたとする。下記表３は、タイムスロット０ないしタイムスロット３において休止状態であるか、有効状態であるかを各ノード別に示している。
【００４６】
【表３】
2005318628.tif 000005
【００４７】
以下、前記表３について説明する。前記ノードＡとノードＢは予約したタイムスロット０において有効状態を保持する。しかしながら、前記ノードＡが電力感度レベル１を有するため、他のノードのハード予約スロット（タイムスロット１）とソフト予約スロット（タイムスロット２）において前記ノードＡとノードＢは休止状態を保持する。また、前記ノードＡとノードＢはＥＤＣＡスロットであるタイムスロット３においてブロードキャストデータまたは非同期データが生じなかったために休止状態を保持する。
【００４８】
前記ノードＥとノードＦは予約したタイムスロット１において有効状態を保持する。前記ノードＥは電力感度レベル３を有するため、前記ノードＥとノードＦは他のノードのソフト予約スロット（タイムスロット０、タイムスロット２）とＥＤＣＡスロット（タイムスロット３）において有効状態を保持する。
【００４９】
前記ノードＧとノードＨは予約したタイムスロット２において有効状態を保持する。前記ノードＧは電力感度レベル３を有するため、前記ノードＧとノードＨは他のノードのソフト予約スロット（タイムスロット０）とＥＤＣＡスロット（タイムスロット３）において有効状態を保持し、他のノードのハード予約スロット（タイムスロット１）において休止状態を保持する。
【００５０】
前記ノードＣは電力感度レベル２を有し、ノードＤは電力感度レベル３を有するため、電力感度レベルが低いノードＣを用いて前記ノードＣとノードＤの状態を決める。このため、前記ノードＣとノードＤはタイムスロット３において有効状態を保持し、タイムスロット０、タイムスロット１、タイムスロット２においては休止状態を保持する。
【００５１】
前記ノードＡないしノードＨは自ノードが予約したタイムスロットにおいてはデータを転送し、他のノードが予約したタイムスロットであるとしても、予約したノードが未使用状態である場合にはそれを使用することができる。つまり、ノードＡとノードＢがタイムスロット０を使用していないならば、ノードＥ、ノードＦが前記タイムスロット０を使用したり、ノードＧ、ノードＨが前記タイムスロット０を使用したりすることができる。
【００５２】
以上、本発明の原理を例示するための好適な実施例を図示および説明したが、本発明はこのように図示および説明された構成および作用にそのまま限定されるものではない。すなわち、本発明が属する技術分野において通常の知識を有する者であれば、特許請求の範囲における思想および範ちゅうを逸脱しない範囲内で本発明を各種に変更および修正できるということは理解できるであろう。よって、すべての適切な変更および修正と均等物も本発明の範囲に属すると見なされるべきである。
【図面の簡単な説明】
【００５３】
【図１】複数のノードよりなる無線網を示す図である。
【図２】無線網を構成しているノードにおいて使われるスーパーフレームの構造を示す図である。
【図３】従来の無線網を構成しているノードにおける電力の無駄使い例を示す図である。
【図４】本発明による無線網を構成しているノードにおける省電力方案を説明するための図である。
【図５】本発明による無線網を構成しているノードにおける省電力方案を説明するための他の図である。
【図１】
2005318628.tif 000006
【図２】
2005318628.tif 000007
【図３】
2005318628.tif 000008
【図４】
2005318628.tif 000009
【図５】
2005318628.tif 000010